【手続補正書】
【提出日】平成28年11月16日(2016.11.16)
【手続補正１】
【補正対象書類名】特許請求の範囲
【補正対象項目名】全文
【補正方法】変更
【補正の内容】
【特許請求の範囲】
【請求項１】
マシンツーマシン（Ｍ２Ｍ）ワイヤレスワイドエリアネットワーク（ＷＡＮ）におけるワイヤレス通信のための方法であって、
トラフィックスロットマップを生成することと、ここにおいて、前記トラフィックスロットマップは、第１のデータレートで送信されるトラフィックチャネルサイクルのスロットの第１の数、第２のデータレートで送信される前記トラフィックチャネルサイクルのスロットの第２の数、および１つまたは複数のハッシングパラメータを示し、前記第２のデータレートは、前記第１のデータレートとは異なり、１つまたは複数のＭ２Ｍデバイスの各々が前記トラフィックチャネルサイクル内で少なくとも１つのタイムスロットを識別することを可能にするために前記１つまたは複数のＭ２Ｍデバイスによって使用されるべき前記トラフィックスロットマップは、前記識別するＭ２Ｍデバイスに宛てられたデータを有する、
前記１つまたは複数のＭ２Ｍデバイスに前記トラフィックサイクルの最初にある第１の順方向リンクフレーム中で前記トラフィックスロットマップをブロードキャストすることと
を備える、方法。
【請求項２】
前記トラフィックスロットマップをブロードキャストすることは、
前記第１の順方向リンクフレームのトラフィックスロットのトラフィックチャネル中に前記トラフィックスロットマップを挿入することと、
前記第１の順方向リンクフレームの前記トラフィックスロット中に前記トラフィックスロットマップをブロードキャストすることと
を備える、請求項１に記載の方法。
【請求項３】
第１のタイムスロット中、および第２のタイムスロット中に送信すること、ここにおいて、前記第１のタイムスロット中、第１のデータが前記第１のデータレートで基地局から１つまたは複数のＭ２Ｍデバイスに送信され、前記第２のタイムスロット中、第２のデータが前記第２のデータレートで前記基地局から１つまたは複数のＭ２Ｍデバイスに送信される、
をさらに備える、請求項２に記載の方法。
【請求項４】
前記トラフィックスロットマップをブロードキャストすることは、
前記第１のデータおよび前記第２のデータの送信が行われる前に前記トラフィックスロットマップをブロードキャストすること
を備える、請求項３に記載の方法。
【請求項５】
前記第１の順方向リンクフレームの前記トラフィックスロットは、前記第１または第２のタイムスロットを備える、請求項３に記載の方法。
【請求項６】
前記第１の順方向リンクフレームの送信の後に第２の順方向リンクフレームを送信すること、ここにおいて、前記第２の順方向リンクフレームはトラフィックスロットを備え、前記トラフィックスロットは前記第１または第２のタイムスロットを備える、
をさらに備える、請求項３に記載の方法。
【請求項７】
前記トラフィックチャネルサイクルは、順方向リンク通信のための第１の時間割振りと、逆方向リンク通信のための第２の時間割振りとを備える、請求項２に記載の方法。
【請求項８】
前記第１のデータを送信することは、
前記第１の順方向リンクフレームの前記第１のタイムスロット中にポインタを送信することと、ここにおいて、前記ポインタは追加の順方向リンクフレームの追加のタイムスロットを識別する、
前記追加のタイムスロット中に前記第１のデータの少なくとも一部分を送信することと、ここにおいて、前記第１のデータの前記一部分は前記第１のデータレートで送信される、
を備える、請求項３に記載の方法。
【請求項９】
前記トラフィックスロットマップは、前記第１のデータレートでトラフィックデータを受信することを予想しているＭ２Ｍデバイスの第１の数と、前記第２のデータレートでトラフィックデータを受信することを予想しているＭ２Ｍデバイスの第２の数とを識別し、前記トラフィックデータは、物理レイヤにおいて送信される、請求項１に記載の方法。
【請求項１０】
第１のＭ２Ｍデバイスのための前記第１のタイムスロットを識別するために第１のハッシング関数を使用することと、
第２のＭ２Ｍデバイスのための前記第２のタイムスロットを識別するために第２のハッシング関数を使用することと
をさらに備える、請求項３に記載の方法。
【請求項１１】
前記第１および第２のタイムスロットは、１つまたは複数の順方向リンクフレーム内の１つまたは複数のトラフィックスロットを備える、請求項３に記載の方法。
【請求項１２】
マシンツーマシン（Ｍ２Ｍ）ワイヤレスワイドエリアネットワーク（ＷＡＮ）におけるワイヤレス通信のために構成された装置であって、
トラフィックスロットマップを生成するための手段と、ここにおいて、前記トラフィックスロットマップは、第１のデータレートで送信されるトラフィックチャネルサイクルのスロットの第１の数、第２のデータレートで送信される前記トラフィックチャネルサイクルのスロットの第２の数、および１つまたは複数のハッシングパラメータを示し、前記第２のデータレートは、前記第１のデータレートとは異なり、１つまたは複数のＭ２Ｍデバイスの各々が前記トラフィックチャネルサイクル内で少なくとも１つのタイムスロットを識別することを可能にするために前記１つまたは複数のＭ２Ｍデバイスによって使用されるべき前記トラフィックスロットマップは、前記識別するＭ２Ｍデバイスに宛てられたデータを有する、
１つまたは複数のＭ２Ｍデバイスに前記トラフィックサイクルの最初にある第１の順方向リンクフレーム中で前記トラフィックスロットマップをブロードキャストするための手段と
を備える、装置。
【請求項１３】
マシンツーマシン（Ｍ２Ｍ）ワイヤレスワイドエリアネットワーク（ＷＡＮ）におけるワイヤレス通信のための方法であって、
Ｍ２Ｍデバイスにおいて、トラフィックチャネルサイクルの最初にある第１の順方向リンクフレーム内の第１のトラフィックスロット中にトラフィックスロットマップを受信することと、ここにおいて、前記トラフィックスロットマップは、第１のデータレートで送信される前記トラフィックチャネルサイクルのスロットの第１の数、第２のデータレートで送信される前記トラフィックチャネルサイクルのスロットの第２の数、および１つまたは複数のハッシングパラメータを示し、前記第２のデータレートは、前記第１のデータレートとは異なる、
前記Ｍ２Ｍデバイスに宛てられたデータを有する前記トラフィックチャネルサイクル内で少なくとも１つのタイムスロットを識別するために前記トラフィックスロットマップを使用することと、
前記少なくとも１つのタイムスロットまでスリープ状態に入ることと、
前記少なくとも１つのタイムスロット中に前記データを受信するためにアウェイクモードに入ることと
を備える、方法。
【請求項１４】
マシンツーマシン（Ｍ２Ｍ）ワイヤレスワイドエリアネットワーク（ＷＡＮ）におけるワイヤレス通信のために構成された装置であって、
Ｍ２Ｍデバイスにおいて、トラフィックチャネルサイクルの最初にある第１の順方向リンクフレーム内の第１のトラフィックスロット中にトラフィックスロットマップを受信するための手段と、ここにおいて、前記トラフィックスロットマップは、第１のデータレートで送信される前記トラフィックチャネルサイクルのスロットの第１の数、第２のデータレートで送信される前記トラフィックチャネルサイクルのスロットの第２の数、および１つまたは複数のハッシングパラメータを示し、前記第２のデータレートは、前記第１のデータレートとは異なる、
前記Ｍ２Ｍデバイスに宛てられたデータを有する前記トラフィックチャネルサイクル内で少なくとも１つのタイムスロットを識別するために前記トラフィックスロットマップを使用するための手段と、
前記少なくとも１つのタイムスロットまでスリープ状態に入るための手段と、
前記少なくとも１つのタイムスロット中に前記データを受信するためにアウェイクモードに入るための手段と
を備える、装置。
【請求項１５】
マシンツーマシン（Ｍ２Ｍ）ワイヤレスワイドエリアネットワーク（ＷＡＮ）においてワイヤレス通信を管理するためのコンピュータプログラム製品であって、請求項１から１１、または１３のいずれかのステップを行うためにプロセッサによって実行可能な命令を記憶する非一時的コンピュータ可読媒体を備える、コンピュータプログラム製品。